(57)【要約】【課題】正確な投与量を調整することができる、投与量調整具およびそれを備えたシリンジを提供する。【解決手段】投与量調整具４は筒状で外部から内部を視認可能である。投与量調整具４はシリンジ１のバレル３を保持する。投与量調整具４は、プランジャロッド６０と当接してプランジャロッド６０の長手方向の移動を規制することで薬剤の投与量を調整することが可能である。【選択図】図２
2017176617.tif 000002
【特許請求の範囲】
【請求項１】
筒状で外部から内部を視認可能な投与量調整具であって、
シリンジのバレルを保持し、
プランジャロッドと当接してプランジャロッドの長手方向の移動を規制することで薬剤の投与量を調整することが可能である、投与量調整具。
【請求項２】
前記投与量調整具はシリンジのバレルに螺合する、請求項１に記載の投与量調整具。
【請求項３】
前記投与量調整具は、第一部材および第二部材を有し、前記第一部材および前記第二部材によって前記バレルを保持する、請求項１または請求項２に記載の投与量調整具。
【請求項４】
前記第一部材および前記第二部材は半筒形状である、請求項３に記載の投与量調整具。
【請求項５】
前記投与量調整具の表面には目盛りが付されている、請求項１から請求項４のいずれか１項に記載の投与量調整具。
【請求項６】
バレル、およびそのバレルに嵌合するプランジャロッドと、
前記バレルを保持する請求項１から請求項５のいずれか１項に記載の投与量調整具とを備えた、シリンジ。
【発明の詳細な説明】
【技術分野】
【０００１】
この発明は投与量を調整するための投与量調整具、およびそれを備えるシリンジに関する。
【背景技術】
【０００２】
従来、投与量を調整可能なシリンジは、たとえば特開２０００−９３５１１号公報（特許文献１）に開示されている。
【先行技術文献】
【特許文献】
【０００３】
【特許文献１】特開２０００−９３５１１号公報
【発明の概要】
【発明が解決しようとする課題】
【０００４】
従来のシリンジでは、薬液量調整補助具に目盛りが付与され、補助具が注射器のバレルに着脱自在に保持される構造を有する。このような構成では、補助具が離脱して目盛りが所定の位置よりずれてしまうおそれがあり、正確な投与量の調整が困難であった。
【０００５】
そこで、この発明は上記の問題点を解決するためになされたものであり、所定の位置からのずれを防ぎ正確な投与量を調整することができる、投与量調整具およびそれを備えたシリンジを提供することを目的とする。
【課題を解決するための手段】
【０００６】
この発明に従った投与量調整具は、筒状の投与量調整具であって、シリンジのバレルを保持し、プランジャロッドと当接してプランジャロッドの長手方向の移動を規制することで薬剤の投与量を調整することが可能である。
【０００７】
このように構成された投与量調整具では、投与量調整具は筒状であるため、筒状でないものと比較して正確な投与量を規定することができる。
【０００８】
好ましくは、投与量調整具はバレルに螺合する。この場合、投与量調整具はバレルに螺合するため、確実にバレルを保持する。また、投与量調整具はバレルに螺合しているため、投与量調整具を回転させることで投与量調整の位置を調整できる。これにより、投与量を変更できる。
【０００９】
好ましくは、投与量調整具は、第一部材および第二部材を有する。第一部材および第二部材によってバレルを保持する。この場合、第一部材および第二部材を組み合わせることで投与量調整具を構成することが出来るため、投与量調整具が一体形状である場合と比較して、容易に投与量調整具を構成することが出来る。
【００１０】
好ましくは、第一部材および第二部材は半筒形状である。
好ましくは、投与量調整具の表面には目盛りが付されている。この場合、目盛りを基準として投与量を調整することが出来る。
【００１１】
この発明に従ったシリンジは、バレル、およびそのバレルに嵌合するプランジャロッドと、バレルを保持する上記の投与量調整具とを備える。
【００１２】
このように構成されたシリンジでは、投与量調整具は筒状であるため、筒状でないものと比較して正確な投与量を規定することができる。
【発明の効果】
【００１３】
所定の位置からのずれを防ぎ正確な投与量を調整することが出来る投与量調整具およびそれを備えたシリンジを提供することができる。
【図面の簡単な説明】
【００１４】
【図１】この発明の実施の形態１に従った投与量調整具を有するシリンジの斜視図である。
【図２】図１で示すシリンジの分解斜視図である。
【図３】図２で投与量調整具の第一部材の斜視図である。
【図４】図２で投与量調整具の第二部材の斜視図である。
【図５】図２で示すバレルの斜視図である。
【図６】図２で示すプランジャロッドの斜視図である。
【図７】この発明の実施の形態１に従った投与量調整具を有するシリンジの平面図である。
【図８】この発明の実施の形態１に従った投与量調整具を有するシリンジの平面図である。
【発明を実施するための形態】
【００１５】
以下、この発明の実施の形態について、図面を参照して説明する。
（実施の形態１）
（全体構成の説明）
図１から図６で示すように、シリンジ１は、先端に設けられたバレル３、バレルの外周面に係合する投与量調整具４、バレル３に挿入されるガスケット４００、ガスケット４００に嵌合するプランジャロッド６０を有する。
【００１６】
図１、図２および図５で示すように、バレル３の先端には開口する注射針接続部３１が形成されている。注射針接続部３１の内周面にはネジ溝３５が設けられている。バレル３の基端が開口し、基端外壁には螺旋状の突条３２が設けられている。突条３２には、一定の間隔を隔てて複数の突起３３が設けられている。
【００１７】
図２および図６で示すように、プランジャロッド６０のボトムロッド本体６３の先端にはネジ溝６２が設けられ、ネジ溝６２にガスケット４００が螺合する。ボトムロッド本体６３の基端に鍔６３２が形成されている。ボトムロッド本体６３は長手方向に延びる十字形状の突条６３１を有する。
【００１８】
図１から図４で示すように、投与量調整具４は、第一部材１４１および第二部材２４１を有する。第一部材１４１および第二部材２４１はともに半円筒形状である。第一部材１４１に第二部材２４１に係合することで円筒体４１を構成する。投与量調整具４は円筒体４１を有する。
【００１９】
第一部材１４１および第二部材２４１の外周面には、第一部材１４１および第二部材２４１の長手方向と直交する方向、すなわち、円筒体４１の円周方向に沿って延びる目盛り１４２，２４２および「ゼロ」示す目盛り１４２０，２４２０が付与されている。なお、この実施の形態では、投与量調整具４は円筒形状を有するが、投与量調整具４は角筒形状、楕円筒形状を有していてもよく、またいずれの形状であっても目盛りを備えている必要はない。
【００２０】
第一部材１４１および第二部材２４１の外周面には、第一部材１４１および第二部材２４１の長手方向と直交する方向に延びるフランジ部１４４，２４４が設けられている。フランジ部１４４，２４４はともに板状である。フランジ部１４４，２４４が互いに係合してフランジ４４を構成する。
【００２１】
第一部材１４１および第二部材２４１の内周面には複数の突起１４３ａ，１４３ｂ，２４３ａ，２４３ｂが設けられている。複数の突起１４３ａ間に溝が形成されている。複数の突起１４３ｂ間に溝が形成されている。複数の突起２４３ａ間に溝が形成されている。複数の突起２４３ｂ間に溝が形成されている。
【００２２】
これらの溝には螺旋状の突条３２が螺合する。そのため、投与量調整具４はバレル３に螺合しており、投与量調整具４をバレル３に対して回転させると、投与量調整具４はバレル３に対して先端方向または基端方向に移動する。
【００２３】
突条３２には、所定の間隔を隔てて複数の突起３３が配置されている。突起３３が突起１４３ａ，１４３ｂ，２４３ａ，２４３ｂに当接する位置で投与量調整具４のバレルに対する回転が停止する。そこからさらに投与量調整具４を回転させるためには、投与量調整具４にさらなる回転力を付与する必要がある。回転力が付与されれば、突起３３は、突起１４３ａ，１４３ｂ，２４３ａ，２４３ｂを乗り越えることができる。
【００２４】
この実施の形態では、突条３２は右ネジ形状である。その結果、投与量調整具４を右方向（図１中の矢印Ｒ１で示す方向）に回転させれば投与量調整具４はシリンジ１先端側へ移動する。
【００２５】
これに対して、投与量調整具４を左方向（図１中の矢印Ｒ２で示す方向）に回転させれば投与量調整具４はシリンジ１の基端側へ移動する。なお、突条３２は必ずしも右ネジ形状である必要は無く、左ネジ形状であってもよい。
【００２６】
投与量調整具４およびバレル３は透明である。そのため、使用者は外部から、バレル３および投与量調整具４内のプランジャロッド６０およびガスケット４００を視認することができる。この例では、投与量調整具４およびバレル３の全体が透明であるが、投与量調整具４およびバレル３の一部分が透明であってもよい。使用者がガスケット４００の先端を視認できればよい。
【００２７】
（投与量の調整）
図７で示すように、プランジャロッド６０をバレル３側に押し込んで鍔６３２が投与量調整具４に当接する状態ではガスケット４００の先端は、「ゼロ」を示す目盛り１４２０に位置する。投与量調整具４およびバレル３が透明であるため、使用者はバレル３内のガスケット４００位置を視認できる。
【００２８】
この状態から投与量調整具４を矢印Ｒ１で示す方向に回転させる。すると、図８で示すように、投与量調整具４は先端方向に移動する。これにともない、ガスケット４００は目盛り１４２０から離れる。
【００２９】
投与量調整具４の移動が終了すると、ガスケット４００の先端はある目盛りの部分に位置する。その目盛りは、次回、プランジャロッド６０をバレル３側に押圧して鍔６３２が投与量調整具４に当接するまでにシリンジ１から投与される薬剤の量となる。このように、投与量調整具４を回転させることで、シリンジ１からの薬剤の投与量を調整することができる。
【００３０】
なお、目盛りが設けられていない場合であっても、投与量調整具４の移動量とバレル３内の薬剤の量とが関連付けられていればよい。さらに、投与量調整具４はバレル３に螺合している必要は無い。投与量調整具４はバレル３の表面に沿って移動できればよい。投与量調整具４をバレル３に沿って案内するためのガイドが設けられていてもよい。
【００３１】
（効果）
投与量調整具４は筒状で外部から内部を視認可能である。その表面には目盛り１４２，２４２，１４２０，２４２０が付与されている。投与量調整具４は、シリンジ１のバレル３に螺合する。
【００３２】
このような構成を採用することで、投与量調整具４がバレル３に螺合しているため、投与量調整具４がバレル３から脱落し所定の投与量を調整できなくなることを防止できる。
【００３３】
さらに、投与量調整具４はプランジャロッド６０の鍔６３２と当接してプランジャロッド６０の長手方向の移動を規制することで薬剤の投与量を確実に調整することができる。
【００３４】
投与量調整具４は第一部材１４１および第二部材２４１から構成される分割構造である。その結果、第一部材１４１および第二部材２４１をバレル３に係合させることにより、簡単にバレル３に投与量調整具４を取り付けることができる。なお、例示している実施例では、投与量調整具４は第一部材１４１と第二部材２４１からなる分割構造であるが、投与量調整具４を一体成形品とすることや、第一部材１４１と第二部材２４１をヒンジなどを用いてつなぎ合わせる構造も可能である。
【００３５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３６】
この発明は、シリンジ、特に薬液がバレルに封入されるプレフィルドシリンジの分野に適用され得る。
【符号の説明】
【００３７】
１  シリンジ、３  バレル、４  投与量調整具、３１  注射針接続部、３２，６３１  突条、３３，１４３ａ，１４３ｂ，２４３ａ，２４３ｂ  突起、３５，６２  ネジ溝、４１  円筒体、４４  フランジ、６０  プランジャロッド、６３  ボトムロッド本体、１４１  第一部材、１４２，２４２，１４２０，２４２０  目盛り、１４４，２４４  フランジ部、２４１  第二部材、４００  ガスケット、６３２  鍔。
【図１】
2017176617.tif 000003
【図２】
2017176617.tif 000004
【図３】
2017176617.tif 000005
【図４】
2017176617.tif 000006
【図５】
2017176617.tif 000007
【図６】
2017176617.tif 000008
【図７】
2017176617.tif 000009
【図８】
2017176617.tif 000010